(57)【要約】【課題】電線支持部の電線のこぼれを防止できると共に、電線の昇降のみで取付け、又は取出しが容易に行え、ワイヤハーネスの組立作業効率を高めることができる布線治具用の電線外れ止め具及び布線治具を提供する。【解決手段】布線治具用の電線外れ止め具１１は、電線を収納して支持する電線支持部１９に立設された複数本のガイド棒２１を有する電線支持部材２３のガイド棒２１に沿って長手方向の両端部が離間して取り付けられることにより、長手方向の中間部がガイド棒２１から離間する方向に湾曲した形状に配置される可撓性のこぼれ止め条材１３と、ガイド棒２１の長手方向の任意の位置に着脱自在に取り付けられてこぼれ止め条材１３の両端部をガイド棒２１に保持する条材保持部材１５と、を備える。【選択図】図１
2016143600.tif 000002
【特許請求の範囲】
【請求項１】
電線を収納して支持する電線支持部に立設された複数の電線ガイド部を有する電線支持部材の前記電線ガイド部に沿って長手方向の両端部が離間して取り付けられることにより、長手方向の中間部が前記電線ガイド部から離間する方向に湾曲した形状に配置される可撓性のこぼれ止め条材と、
前記電線ガイド部の長手方向の任意の位置に着脱自在に取り付けられて前記こぼれ止め条材の前記両端部を前記電線ガイド部に保持する条材保持部材と、
を備えることを特徴とする布線治具用の電線外れ止め具。
【請求項２】
請求項１に記載の布線治具用の電線外れ止め具であって、
前記条材保持部材は、前記こぼれ止め条材の下端部を保持する下側保持部が前記こぼれ止め条材の上端部を保持する上側保持部よりも前記電線ガイド部に交わる直交線とのなす角度が大きくなる傾斜角度で、前記こぼれ止め条材を保持することを特徴とする布線治具用の電線外れ止め具。
【請求項３】
請求項１または請求項２に記載の布線治具用の電線外れ止め具と、
組立図板に支持される脚部の上端に電線を収納して支持する電線支持部が設けられると共に、互いに平行に延びる複数の電線ガイド部が前記電線支持部に立設される電線支持部材と、
を備えることを特徴とする布線治具。
【発明の詳細な説明】
【技術分野】
【０００１】
本発明は、布線治具用の電線外れ止め具及び布線治具に関する。
【背景技術】
【０００２】
自動車等に多用されているワイヤハーネスを組み立てる場合には、組立図板上に描かれた布線図に基づいて所定間隔をおいて立設された複数個の布線治具を用いて、所定長さに計尺切断された複数本の電線が組立図板の布線図に沿って案内しながら布線される。次に、これら電線を分岐点等の要所でテープ結束をして所要の枝形状を呈する電線束が形成される。最後に、この電線束を布線治具から取り出し、この電線束にクランプその他の付属部品が取り付けられる。
【０００３】
電線を布線するのに使用される布線治具は、電線を収納して支持する電線支持部と電線支持部に立設された複数の電線ガイド部とを備えているが、布線中に電線支持部内に収納された電線が浮き上がって電線支持部から溢れ出てしまうことがあり、溢れ出た電線を布線治具の電線支持部内に戻して掛け直す作業が煩雑で、ワイヤハーネスの組立作業能率が低下することがあった。
【０００４】
そこで、特許文献１には、布線中に電線が電線支持部から溢れ出るのを防止する布線治具が開示されている。この布線治具は、電線支持部内に電線を収納して支持するに際し、可動支持体を高位置に上昇させて電線支持部の電線案内部材を起立状態に保持したとき、電線案内部材はその先端側に内側突出部を有する。このため、電線案内部材の先端間に電線を落とし込む狭幅隙間が形成される。この狭幅隙間により、電線の浮き上がりが阻まれて、電線が電線支持部から狭幅隙間を通して外部に溢れ出るのを確実に防止することができる。
ところが、この布線治具は、電線案内部材が一対のみで構成されているため、電線の分岐に対応していない。
【０００５】
そこで、特許文献２には、複数本のガイド部（電線ガイド部）が設けられることで、幹線ハーネスからの分岐ハーネスの分岐を可能とした布線治具が開示されている。図１１に示すように、この布線治具５０１は、組み立て基板にその基部が装着される垂直に配置される棒状のねじ部５０３と、中央部に挿入孔部（図示略）を備え、ねじ部５０３と強固に接続される底部５０５と、底部５０５の外周部に所定間隔で垂直に設けられた４本のガイド部５０７と、挿入孔部に下端部の先端が着脱可能に取り付けられ、ガイド部５０７と平行に配置されたシャフト部材５０９とを備えている。
【０００６】
ガイド部５０７の頭部５１１は、本体部５１３からシャフト部材５０９の方向に向かって突出して一体的に形成され、布線治具５０１の上端部分を閉塞するような形状を備えている。シャフト部材５０９のシャフト部５１５の下端部には、ねじ部５１７が形成されて、底部５０５に形成された挿入孔部に捩じ込まれて、着脱可能に装着される。幹線ハーネス５１９は、２つの隣接するガイド部間を通り、一部がシャフト部材５０９によって方向を変換して、幹線ハーネス５１９と直角の方向に分岐ハーネス５２１が布線される。
【０００７】
布線治具５０１は、シャフト部材５０９のシャフト部５１５の下端部に形成されたねじ部５１７を、長軸の周りに回転して底部５０５に形成された挿入孔部から抜き取ると、４本のガイド部５０７が、それぞれの基部を中心に本体部５１３及び頭部５１１が外側に向かって、それぞれ円弧を描いて回動して、ガイド部５０７の上部が開かれて、開状態に移行する。布線後のワイヤハーネスは、幹線ハーネス５１９及び分岐ハーネス５２１の外周部にテープが巻回され、更にそれらの分岐位置にテープが巻回されて、開状態のガイド部５０７から布線治具外に取り外しができるようになる。
【先行技術文献】
【特許文献】
【０００８】
【特許文献１】特開２００５−１１６２８３号公報
【特許文献２】特開２０１１−２１０５１８号公報
【発明の概要】
【発明が解決しようとする課題】
【０００９】
しかしながら、上記した従来の布線治具５０１は、ワイヤハーネスを取出す時にシャフト部材５０９の脱着が必須であり、ワイヤハーネスのワンタッチでの取り出しができない。このため、ワイヤハーネスの組立作業能率が低下するという問題がある。また、上記の布線治具５０１は、４本のガイド部５０７の本体部５１３及び頭部５１１が、それぞれの基部を中心に外側に向かって円弧を描いて回動して開かれる。そのため、組立図板に布線治具５０１を立設するのにスペースを要し、ワイヤハーネスの組立作業の邪魔になるので、これによってもワイヤハーネスの組立作業能率が低下するという問題がある。
【００１０】
本発明は上記状況に鑑みてなされたもので、その目的は、電線支持部の電線のこぼれを防止できると共に、電線の昇降のみで取付け、又は取出しが容易に行え、ワイヤハーネスの組立作業能率を高めることができ、複雑な機構がなく、小型化できることでワイヤハーネスの組立作業の邪魔にならない布線治具用の電線外れ止め具及び布線治具を提供することにある。
【課題を解決するための手段】
【００１１】
本発明に係る上記目的は、下記構成により達成される。
（１）  電線を収納して支持する電線支持部に立設された複数本の電線ガイド部を有する電線支持部材の前記電線ガイド部に沿って長手方向の両端部が離間して取り付けられることにより、長手方向の中間部が前記電線ガイド部から離間する方向に湾曲した形状に配置される可撓性のこぼれ止め条材と、前記電線ガイド部の長手方向の任意の位置に着脱自在に取り付けられて前記こぼれ止め条材の前記両端部を前記電線ガイド部に保持する条材保持部材と、を備えることを特徴とする布線治具用の電線外れ止め具。
【００１２】
上記（１）の構成の布線治具用の電線外れ止め具が電線支持部材の電線ガイド部に取り付けられ、こぼれ止め条材の中間部が他の電線ガイド部や他のこぼれ止め条材に対向するように配置されることで、電線支持部材の電線支持部に収納された電線が、不用意に上方へ移動されても、上方で湾曲して突出しているこぼれ止め条材に当たり、電線支持部材からの電線の離脱が規制される。また、電線の収納、又は取出し時には、電線がこぼれ止め条材に当てられて所定の力で昇降されると、こぼれ止め条材が弾性変形し、電線や大径となった電線束の通り抜けが許容される。そして、この電線外れ止め具では、既存の電線支持部材の電線ガイド部同士の間に配置して取り付けでき、装着によって既存の電線支持部材よりも外形が大きくなることがない。
また、上記構成の電線外れ止め具が取り付けられた電線支持部材は、従来の布線治具のように円弧を描いて回動して開かれるガイド部がない。そこで、構造を簡素にできると共に、組立図板に布線治具の拡開用の余計なスペースを確保する必要がなく、ワイヤハーネスの組立作業の邪魔にならない。
【００１３】
（２）  上記（１）の構成の布線治具用の電線外れ止め具であって、前記条材保持部材は、前記こぼれ止め条材の下端部を保持する下側保持部が前記こぼれ止め条材の上端部を保持する上側保持部よりも前記電線ガイド部に交わる直交線とのなす角度が大きくなる傾斜角度で、前記こぼれ止め条材を保持することを特徴とする布線治具用の電線外れ止め具。
【００１４】
上記（２）の構成の布線治具用の電線外れ止め具によれば、こぼれ止め条材は、下側保持部によって、突出下部側の傾斜が、突出上部側の傾斜よりも、電線の移動に抵抗とならない角度となる。即ち、電線外れ止め具は、布線時の電線支持部への電線挿入時よりも、布線後の電線支持部からの電線束取出し時の方が、こぼれ止め条材の通過抵抗が増大するが、こぼれ止め条材の突出下部側が、突出上部側よりも電線の移動に抵抗とならない角度となることで、大径となった電線束が取出されるに際の通過抵抗の増大が抑制される。
【００１５】
（３）  上記（１）または（２）の構成の布線治具用の電線外れ止め具と、組立図板に支持される脚部の上端に電線を収納して支持する電線支持部が設けられると共に、互いに平行に延びる複数本の電線ガイド部が前記電線支持部に立設される電線支持部材と、を備えることを特徴とする布線治具。
【００１６】
上記（３）の構成の布線治具によれば、電線支持部材の電線ガイド部に上記（１）または（２）の構成の電線外れ止め具が取り付けられることで、電線支持部からの不用意な電線の外れがこぼれ止め条材によって防止される。一方、電線支持部材からの電線束の取出しは、電線束を所定の力で直径方向に上方へ移動させてこぼれ止め条材に当てることで、こぼれ止め条材を弾性変形させて行うことができる。これにより、従来の布線治具のようなシャフト部材の脱着等が不要となって、ワンタッチでの電線束の取出しが可能となる。また、電線支持部材が３本以上の電線ガイド部を有することで、電線の分岐にも容易に対応することができる。
【発明の効果】
【００１７】
本発明に係る布線治具用の電線外れ止め具及び布線治具によれば、電線支持部の電線のこぼれを防止できると共に、電線の昇降のみで取付け、又は取出しが容易に行え、ワイヤハーネスの組立作業能率を高めることができる。しかも、複雑な機構がなく、小型化できることでワイヤハーネスの組立作業の邪魔にならない。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】本発明の第１実施形態に係る電線外れ止め具が取り付けられた布線治具の斜視図である。
【図２】図１に示した布線治具の分解斜視図である。
【図３】（ａ）は図２に示した電線外れ止め具の分解斜視図、（ｂ）は組み立てられた電線外れ止め具の斜視図である。
【図４】３本の電線ガイド部が立設された電線支持部材に電線外れ止め具が取り付けられた変形例に係る布線治具の斜視図である。
【図５】（ａ）は電線の挿入時の動作説明図、（ｂ）は電線束を取出す際の動作説明図、（ｃ）は電線外れ止め具が対向する電線ガイド部に近接して取り付けられる場合の説明図である。
【図６】電線外れ止め具の拡大側面図である。
【図７】（ａ）は４本の電線ガイド部に電線外れ止め具同士が近接して取り付けられるバリエーションの説明図、（ｂ）は３本の電線ガイド部に電線外れ止め具同士が近接して取り付けられるバリエーションの説明図、（ｃ）は３本の電線ガイド部に対向する電線ガイド部に近接する電線外れ止め具が取り付けられるバリエーションの説明図、（ｄ）は３本の電線ガイド部の２本に対向する電線ガイド部に近接して電線外れ止め具が取り付けられるバリエーションの説明図である。
【図８】（ａ）は本発明の第２実施形態に係る電線外れ止め具の分解斜視図、（ｂ）は（ａ）の電線外れ止め具が組み立てられた状態の斜視図、（ｃ）は（ｂ）の電線外れ止め具が取り付けられた布線治具の側面図である。
【図９】（ａ）は本発明の第３実施形態に係る電線外れ止め具の分解斜視図、（ｂ）は（ａ）の電線外れ止め具が組み立てられた側面図、（ｃ）は第３実施形態の変形例に係る電線外れ止め具の側面図である。
【図１０】本発明の第４実施形態に係る布線治具の電線外れ止め具と電線支持部材とが分離された分解斜視図である。
【図１１】（ａ）は従来の布線治具の斜視図、（ｂ）はガイド部が開かれた従来の布線治具の斜視図である。
【発明を実施するための形態】
【００２０】
以下、本発明に係る実施形態を図面を参照して説明する。
図１及び図２に示すように、本発明の第１実施形態に係る電線外れ止め具１１が電線支持部材２３に取り付けられた布線治具２９は、図示しない組立図板上に描かれた布線図に基づいて所定間隔をおいて組立図板に立設される。
本第１実施形態に係る布線治具２９用の電線外れ止め具１１は、こぼれ止め条材１３と、条材保持部材１５と、を有する。
【００２１】
こぼれ止め条材１３は、電線１７（図５参照）が収納される電線支持部１９から複数本（本第１実施形態では４本）の断面同一形状のガイド棒（電線ガイド部）２１が立設される電線支持部材２３の少なくとも一本のガイド棒２１に、取り付けられる。
ガイド棒２１は、例えば金属製の丸棒として形成される。本実施形態の電線支持部材２３は、図２に示すように、一対のガイド棒２１の下端が連結された音叉形状に形成されており、音叉形状とした一対のガイド棒２１が電線支持部１９によって二対連結されて合計４本のガイド棒２１が立設されたものとなっている。これにより、電線支持部材２３は、４本のガイド棒２１の間の上方が、それぞれ電線挿入開口部２５となって開口する。従って、電線支持部材２３は、幹線ハーネス、分岐ハーネスが４方向に分岐するワイヤハーネスの作製が可能となっている。
【００２２】
電線支持部材２３は、電線支持部１９から垂下する１本の脚部２７を有する。すなわち、電線支持部材２３は、組立図板（図示略）に支持される脚部２７の上端に電線１７を収納して支持する電線支持部１９が設けられると共に、互いに平行に延びる４本の電線支持部１９に４本のガイド棒２１が立設されている。この電線支持部材２３は、こぼれ止め条材１３が取り付けられることで、布線治具２９を構成する。つまり、電線支持部材２３に電線外れ止め具１１が装着されると、電線こぼれ防止機能付きの布線治具２９となる。
【００２３】
こぼれ止め条材１３は、長手方向の両端部がガイド棒２１に沿って離間して取り付けられる。図３に示すように、こぼれ止め条材１３の長手方向の両端部には、ガイド棒２１が貫通する貫通穴３１が穿設される。こぼれ止め条材１３の材質としては、軟質ビニール、ウレタン、ゴム、スポンジなどの弾性体の他、弾性を有するものであれば、例えば金属製のばね材、コイルばね等であってもよい。こぼれ止め条材１３は、上記した何れの材質の場合も、線状や帯状の長尺状に形成される。但し、こぼれ止め条材１３は、電線１７の被覆と摺接するので、被覆を傷つけるエッジ等が存在しない平滑な表面で形成される。なお、線材を巻回したコイルばねの外周面は、この平滑な表面の範囲となる。また、長尺状の金属製の薄板の表面に樹脂コーティングを施したものでもよい。
【００２４】
こぼれ止め条材１３は、図３の（ａ）に示すように、通常の状態では直線状となるものでよい。直線状のこぼれ止め条材１３は、両端部がガイド棒２１に離間して取り付けられることにより、図３の（ｂ）に示すように、長手方向の中間部がガイド棒２１から離間する方向に湾曲した形状に配置される。電線支持部材２３は、ガイド棒２１に取り付けられたこぼれ止め条材１３の中間部における湾曲部３３によって、電線挿入開口部２５の開口幅が狭められ、或いは無くなる（湾曲部３３が、対向するガイド棒２１や他の湾曲部３３に接した場合）。この湾曲部３３は、こぼれ止め条材１３の材質特性によって、撓み可能（弾性変形可能）となる。こぼれ止め条材１３は、可撓性を有するものであればよい。より望ましくは、こぼれ止め条材１３は、弾性限度範囲内で変形して、永久歪みが残らないことが好ましい。
【００２５】
条材保持部材１５は、ガイド棒２１の長手方向の任意の位置に着脱自在に取り付けられる。本第１実施形態において、条材保持部材１５は、図３の（ａ）に示すように、上側保持部３５と下側保持部３７とで構成されている。更に、上側保持部３５は、一対の保持チューブ３９からなる。下側保持部３７は、一対の傾斜保持チューブ４１からなる。
【００２６】
下側保持部３７は、ガイド棒２１が貫通したこぼれ止め条材１３の下端部を一対の傾斜保持チューブ４１によって挟持してガイド棒２１に沿う方向の移動を規制する。上側保持部３５は、ガイド棒２１が貫通したこぼれ止め条材１３の上端部を一対の保持チューブ３９によって挟持してガイド棒２１に沿う方向の移動を規制する。すなわち、条材保持部材１５は、下側保持部３７と上側保持部３５とによって、こぼれ止め条材１３の両端部をガイド棒２１に保持する。
【００２７】
本第１実施形態において、上側保持部３５の保持チューブ３９と、下側保持部３７の傾斜保持チューブ４１とは、ビニール等の弾性樹脂材料からなる。この他、保持チューブ３９及び傾斜保持チューブ４１は、金属材からなるものであってもよい。保持チューブ３９及び傾斜保持チューブ４１は、内径がガイド棒２１の外径より若干小さく形成される。これにより、保持チューブ３９及び傾斜保持チューブ４１は、ガイド棒２１に着脱自在に摩擦嵌合する。
【００２８】
この摩擦嵌合力は、装着時や脱着時に、ガイド棒２１に沿って大きなスライド力を加えれば、保持チューブ３９及び傾斜保持チューブ４１が移動可能となる大きさである。すなわち、摩擦嵌合力は、電線外れ止め具１１をガイド棒２１に脱着可能とする。一方、この摩擦嵌合力は、電線束４３（図５参照）を直径方向に移動させて湾曲部３３に当てて、湾曲部３３を弾性変形させて電線束４３を通過させる際、保持チューブ３９及び傾斜保持チューブ４１に対して生じるスライド力よも大きい。つまり、保持チューブ３９及び傾斜保持チューブ４１は、位置設定時にはスライド可能となるが、電線束４３の取出し時には容易に移動しないように、ガイド棒２１に取り付けられる。
【００２９】
上側保持部３５は、一対の保持チューブ３９の軸線方向両端面が平行に形成される。一方、下側保持部３７は、一対の傾斜保持チューブ４１の軸線方向一端面が軸線に対して傾斜した傾斜端面４５として形成されている。一対の保持チューブ３９は、こぼれ止め条材１３の上端部を水平方向に挟持する。一対の傾斜保持チューブ４１は、こぼれ止め条材１３の下端部を、一対の傾斜端面４５によって水平方向に対して上向きに傾斜させて挟持する。すなわち、電線外れ止め具１１の条材保持部材１５は、こぼれ止め条材１３の下端部を保持する下側保持部３７がこぼれ止め条材１３の上端部を保持する上側保持部３５よりもガイド棒２１に交わる直交線４７（図６参照）とのなす角度θが大きくなる傾斜角度で、こぼれ止め条材１３を保持する。
【００３０】
図４は３本のガイド棒２１が立設された電線支持部材５１に電線外れ止め具１１が取り付けられた変形例に係る布線治具４９の斜視図である。
なお、布線治具４９は、３本のガイド棒２１が立設された電線支持部材５１を有するものであってもよい。この場合、電線支持部材５１のそれぞれのガイド棒２１に、電線外れ止め具１１が取り付けられる。この布線治具４９によれば、３方向に分岐する分岐部を有したワイヤハーネスを作製することができる。
【００３１】
次に、上記の布線治具２９を用いたワイヤハーネスの組み立て手順を説明する。
先ず、布線治具２９を使用してワイヤハーネスを組み立てる際には、複数の布線治具２９が、図示しない組立図板上に描かれた布線図に基づいて所定間隔をおいて立設される。次に、図５の（ａ）に示すように、所定長さに計尺切断され、必要に応じて接続用端子等が取り付けられた複数本の電線１７が順次、布線治具２９に沿って案内されながらその電線支持部材２３の幅狭となった電線挿入開口部２５から落とし込まれて電線支持部１９に収納、保持されて布線される。
【００３２】
次に、これら電線１７が分岐点等の要所でテープ結束されて所要の枝形状を呈する図５の（ｂ）に示す電線束４３が形成される。次に、電線束４３を布線治具２９から取り出す。その際、電線束４３は、直径方向に上方へ移動することで、こぼれ止め条材１３に当接し、所定の押圧力によってこぼれ止め条材１３を変形させることで、電線挿入開口部２５の狭窄部５３を拡げる。これにより、大径となった電線束４３は、布線治具２９の電線支持部材２３からワンタッチで取り出しが可能となる。そして、この電線束４３にクランプその他の付属部品を取り付けて、所望のワイヤハーネスの組み立てが完了する。
【００３３】
次に、上記した構成の布線治具２９の作用を説明する。
本第１実施形態に係る布線治具２９用の電線外れ止め具１１では、電線支持部材２３の電線支持部１９に収納して支持された電線１７が、不用意に上方へ移動されても、上方で湾曲して突出しているこぼれ止め条材１３の湾曲部３３に当たり、電線支持部材２３からの電線１７の離脱が規制される。これにより、電線支持部材２３の電線のこぼれが防止される。
【００３４】
また、電線１７の収納、又は取出し時には、電線１７がこぼれ止め条材１３に当てられて所定の力で昇降されると、こぼれ止め条材１３が弾性変形し、狭窄部５３が拡がり、電線１７や大径となった電線束４３の通り抜けが許容される。このため、電線１７が収納しやすく、取出しやすい。
【００３５】
そして、この電線外れ止め具１１では、既存の電線支持部材２３のガイド棒２１同士の間に配置して取り付けでき、装着しても既存の電線支持部材２３よりも外形が大きくなることがない。また、電線外れ止め具１１が取り付けられた電線支持部材２３は、従来の布線治具５０１（図１１参照）のように円弧を描いて回動して開かれるガイド部５０７がない。そこで、構造を簡素にできると共に、組立図板に布線治具２９の拡開用の余計なスペースを確保する必要がなく、ワイヤハーネスの組立作業の邪魔にならない。
【００３６】
また、図６に示すように、電線外れ止め具１１のこぼれ止め条材１３は、下側保持部３７によって、突出下部側の傾斜が、突出上部側の傾斜よりも、電線１７の移動に抵抗とならない角度θとなる。即ち、電線外れ止め具１１は、布線時の電線支持部１９への電線挿入時よりも、布線後の電線支持部１９からの電線束取出し時の方が、こぼれ止め条材１３の通過抵抗が増大するが、こぼれ止め条材１３の突出下部側が、突出上部側よりも電線１７の移動に抵抗とならない角度θとなることで、大径となった電線束４３が取出されるに際の通過抵抗の増大が抑制される。
【００３７】
そして、本第１実施形態に係る電線外れ止め具１１では、条材保持部材１５がガイド棒２１に対して位置替え可能に移動できるので、例えば、図７の（ａ），（ｂ）に示すように、こぼれ止め条材１３を相互に対向させたり、図７の（ｃ），（ｄ）に示すように、こぼれ止め条材１３とガイド棒２１とを対向させたりすることができる。つまり、電線こぼれ防止機能の方向が自在に変更可能となる。また、布線治具２９は、図７の（ｃ）に示すように、一部のこぼれ止め条材１３を使用しないこともできる。また、図７の（ｄ）に示すように、一部のガイド棒２１にこぼれ止め条材１３を取り付けなくてもよい。
【００３８】
また、電線外れ止め具１１は、ガイド棒２１に対するこぼれ止め条材１３の取付高さが変更できるので、用途別に使い分けができる。そして、電線外れ止め具１１は、ガイド棒２１に対して脱着自在となるので、従来の電線支持部材との使い分けもできる。すなわち、必要に応じて従来の電線支持部材に電線外れ止め具１１を装着できる。
【００３９】
本第１実施形態に係る布線治具２９では、電線支持部材２３のガイド棒２１に電線外れ止め具１１が取り付けられることで、電線支持部１９からの不用意な電線１７の外れがこぼれ止め条材１３によって防止される。一方、電線支持部材２３からの電線束４３の取出しは、電線束４３を所定の力で直径方向に上方へ移動させてこぼれ止め条材１３に当てることで、こぼれ止め条材１３を弾性変形させて行うことができる。これにより、従来の布線治具５０１（図１１参照）のようなシャフト部材５０９の脱着等が不要となって、ワンタッチでの電線束４３の取出しが可能となる。
【００４０】
次に、本発明の第２実施形態に係る電線外れ止め具５５を説明する。なお、本第２実施形態において、上記第１実施形態で説明した部材と同一の部材には同一の符号を付し重複する説明は省略するものとする。
図８の（ａ）〜（ｃ）に示すように、本第２実施形態に係る電線外れ止め具５５は、条材保持部材５７が、上記第１実施形態の電線外れ止め具１１における条材保持部材１５の構成と異なる。条材保持部材５７は、図８に示すように、上側保持部５９と下側保持部６１とで構成されている。上側保持部５９は、外周面に水平溝６３を有する略円筒状に一体成形されている。また、下側保持部６１は、外周面に傾斜溝６５を有する略円筒状に一体成形されている。
【００４１】
本第２実施形態の電線外れ止め具５５は、こぼれ止め条材１３Ａの一対の貫通穴３１Ａを弾性変形により拡径させて、上側保持部５９と下側保持部６１とをそれぞれ挿入する。貫通穴３１Ａは、水平溝６３と傾斜溝６５との位置で弾性復元力により縮径する。これにより、こぼれ止め条材１３Ａの両端部に、上側保持部５９と下側保持部６１とが一体に固定される。
【００４２】
このような電線外れ止め具５５によれば、こぼれ止め条材１３Ａに上側保持部５９と下側保持部６１とを予め一体に取り付けることができ、条材保持部材５７の紛失を防止することができる。また、下側保持部６１及び上側保持部５９ごとこぼれ止め条材１３Ａをガイド棒２１に取り付けできるので、電線外れ止め具５５の取付作業時間を短縮することができる。
【００４３】
次に、本発明の第３実施形態に係る電線外れ止め具６７を説明する。なお、本第３実施形態において、上記第１実施形態で説明した部材と同一の部材には同一の符号を付し重複する説明は省略するものとする。
図９の（ａ），（ｂ）に示すように、本第３実施形態に係る電線外れ止め具６７は、条材保持部材６９が、１本の長尺円筒状の保持チューブ７１からなる。保持チューブ７１の長手方向上端側の外周面には、水平溝６３が形成され、長手方向下端側の外周面には、傾斜溝６５が形成されている。
【００４４】
本第３実施形態の電線外れ止め具６７は、こぼれ止め条材１３Ａの一対の貫通穴３１Ａを弾性変形により拡径させて、保持チューブ７１の両端をそれぞれ挿入する。貫通穴３１Ａは、保持チューブ７１の水平溝６３と傾斜溝６５との位置で弾性復元力により縮径する。これにより、こぼれ止め条材１３Ａと、１本の保持チューブ７１からなる条材保持部材６９とが一体に固定される。
【００４５】
このような電線外れ止め具６７によれば、こぼれ止め条材１３Ａに条材保持部材６９を予め一体に取り付けることができ、条材保持部材６９の紛失を防止することができる。また、条材保持部材６９の取り付けと同時に、こぼれ止め条材１３Ａをガイド棒２１に取り付けできるので、電線外れ止め具６７の取付作業時間を短縮することができる。
【００４６】
また、図９の（ｃ）に示す電線外れ止め具６７Ａのように、条材保持部材６９Ａを構成する保持チューブ７１Ａに複数（本実施形態では２つ）の傾斜溝６５を形成しておくことで、こぼれ止め条材１３Ａの下端部を所定の高さに選択的に設定し、湾曲部３３の突出長を変更することができる。これにより、異なる電線束４３の外径に対する対応が容易となる。
【００４７】
次に、本発明の第４実施形態に係る電線外れ止め具７３が取り付けられた布線治具８９を説明する。なお、本第４実施形態において、上記第１実施形態で説明した部材と同一の部材には同一の符号を付し重複する説明は省略するものとする。
図１０に示すように、本第４実施形態に係る布線治具８９の電線外れ止め具７３は、第２実施形態の条材保持部材５７と同様に、条材保持部材７５が、上側保持部７７と下側保持部７９とで構成されている。これら上側保持部７７と下側保持部７９とは、こぼれ止め条材１３Ａの両端部に上記条材保持部材５７と同様にして水平溝６３及び傾斜溝６５によって固定される。ここで、上側保持部７７と下側保持部７９の内穴には、雌ねじ８１が形成されている。この場合、上側保持部７７と下側保持部７９とは、金属製又は樹脂製とすることができる。一方、電線支持部材８３のそれぞれの電線ガイド部であるガイド棒８５には、雌ねじ８１に螺合する雄ねじ８７が形成されている。両端部に上側保持部７７と下側保持部７９を固定したこぼれ止め条材１３Ａと、電線支持部材８３とで、布線治具８９が構成される。
【００４８】
本第４実施形態の布線治具８９では、電線外れ止め具７３の下側保持部７９と上側保持部７７とが、同期して所定間隔でガイド棒８５に螺合される。これにより、こぼれ止め条材１３Ａが、ガイド棒８５の所望の高さ位置に取り付けられる。
【００４９】
このような布線治具８９によれば、電線外れ止め具７３が、回転動作によって高さ調整自在、且つ着脱自在にガイド棒８５に取り付けられると共に、確実にガイド棒８５に固定される。
【００５０】
従って、上記した各実施形態に係る布線治具用の電線外れ止め具１１，５５，６７，７３及び布線治具２９，４９，８９よれば、電線支持部１９の電線１７のこぼれを防止できると共に、電線１７の昇降のみで取付け、又は取出しが容易に行え、ワイヤハーネスの組立作業能率を高めることができる。しかも、複雑な機構がなく、小型化できることでワイヤハーネスの組立作業の邪魔にならない。
【００５１】
ここで、上述した本発明に係る布線治具用の電線外れ止め具及び布線治具の実施形態の特徴をそれぞれ以下に簡潔に纏めて列記する。
［１］  電線（１７）を収納して支持する電線支持部（１９）に立設された複数の電線ガイド部（ガイド棒２１，８５）を有する電線支持部材（２３，５１，８３）の前記電線ガイド部（ガイド棒２１，８５）に沿って長手方向の両端部が離間して取り付けられることにより、長手方向の中間部が前記電線ガイド部（ガイド棒２１，８５）から離間する方向に湾曲した形状に配置される可撓性のこぼれ止め条材（１３，１３Ａ）と、
前記電線ガイド部（ガイド棒２１，８５）の長手方向の任意の位置に着脱自在に取り付けられて前記こぼれ止め条材（１３，１３Ａ）の前記両端部を前記電線ガイド部（ガイド棒２１，８５）に保持する条材保持部材（１５，５７，６９，７５）と、
を備えることを特徴とする布線治具用の電線外れ止め具（１１，５５，６７，７３）。
［２］  上記［１］に記載の電線外れ止め具（１１，５５，６７，７３）であって、
前記条材保持部材（１５，５７，７５）は、前記こぼれ止め条材（１３，１３Ａ）の下端部を保持する下側保持部（３７，６１，７９）が前記こぼれ止め条材（１３，１３Ａ）の上端部を保持する上側保持部（３５，５９，７７）よりも前記電線ガイド部（ガイド棒２１，８５）に交わる直交線（４７）とのなす角度（θ）が大きくなる傾斜角度で、前記こぼれ止め条材（１３，１３Ａ）を保持することを特徴とする布線治具用の電線外れ止め具（１１，５５，６７，７３）。
［３］  上記［１］または［２］に記載の電線外れ止め具（１１，５５，６７，７３）と、
組立図板に支持される脚部（２７）の上端に電線（１７）を収納して支持する電線支持部（１９）が設けられると共に、互いに平行に延びる複数の電線ガイド部（ガイド棒２１，８５）が前記電線支持部（１９）に立設される電線支持部材（２３，５１，８３）と、
を備えることを特徴とする布線治具（２９，４９，８９）。
【００５２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、上記実施形態においては、こぼれ止め条材１３Ａと条材保持部材５７，６９，７５とがそれぞれ別々に成形された後、これらを一体に組付けて電線外れ止め具５５，６７，７３が形成されている。これに対し、こぼれ止め条材と条材保持部材を二色成形やインサート成形により一体成形したり、適宜選択した単一の成形樹脂材でこぼれ止め条材と条材保持部材を一体成形したりして電線外れ止め具を形成することもできる。
【符号の説明】
【００５３】
１１…電線外れ止め具
１３…こぼれ止め条材
１５…条材保持部材
１７…電線
１９…電線支持部
２１…ガイド棒（電線ガイド部）
２３…電線支持部材
２７…脚部
２９…布線治具
３５…上側保持部
３７…下側保持部
４７…直交線
θ…傾斜角度
【図１】
2016143600.tif 000003
【図２】
2016143600.tif 000004
【図３】
2016143600.tif 000005
【図４】
2016143600.tif 000006
【図５】
2016143600.tif 000007
【図６】
2016143600.tif 000008
【図７】
2016143600.tif 000009
【図８】
2016143600.tif 000010
【図９】
2016143600.tif 000011
【図１０】
2016143600.tif 000012
【図１１】
2016143600.tif 000013